(57)【特許請求の範囲】
【請求項１】
表示装置、プリンタ装置及び録画装置に接続され、放送を受信する受信装置であって、
番組情報の基となるデータを受信する受信部と、
前記データから、前記番組情報を、前記録画装置にて録画される対象の番組を特定する録画予約情報であり前記表示装置には表示されないものを有したものにして、前記プリンタ装置に印刷をさせる印刷データである印刷用の番組データを作成する作成部と、
前記データから前記表示装置上に表示がされる表示用の番組データを作成する第２の作成部と、
前記表示装置上に少なくとも前記表示用の番組データを表示する表示部と、
前記表示装置上に表示がされているか否かを検出する検出部と、
視聴者の操作によって発せられた信号を受信する命令受信部と、
前記印刷用の番組データを前記プリンタ装置へ出力する出力部と、
を備え、
前記命令受信部にて受信した前記信号と前記検出部にて検出した、表示がされているか否かとによって前記出力部による前記印刷用の番組データの出力を制御し、
そして、前記出力部にて出力された前記印刷用の番組データに基づいて印刷がされた前記録画予約情報で示された録画予約命令を表わした前記信号を前記命令受信部にて受信して、前記録画装置に録画予約を行わせることを特徴とする受信装置。
【請求項２】
前記受信部は番組情報の基となる前記データを定期的に受信し、
前記録画予約情報は、定期的に受信した前記データから作成されたＧコード、定期的に受信した前記データから得られたＤＶＢ規格のＥＩＴ情報におけるevent＿id、定期的に受信した前記データが有する録画予約専用情報、または定期的に受信した前記データから作成された受信装置固有の情報である
ことを特徴とする請求項１に記載の受信装置。
【請求項３】
前記出力部にて前記印刷用の番組データが出力されたとき、出力したその印刷用の番組データに関する前記データを記憶する記憶部をさらに備え、
前記印刷用の番組データを出力後、新たに受信した前記番組情報の基となるデータと前記記憶部に記憶されているデータとを比較してそれらが異なる場合には、あらためて、前記作成部にて新たに受信した前記番組情報の基となるデータから前記印刷用の番組データを作成し、かつ前記出力部にてこの印刷用の番組データを出力する
ことを特徴とする請求項１または請求項２に記載の受信装置。
【請求項４】
新たに受信する前に出力した前記印刷用の番組データと新たに受信した前記印刷用の番組データとで異なる場合には、新たに受信した前記番組情報の基となるデータから作成した印刷用の番組データを出力後、あらためて、この番組情報の基となるデータを前記記憶部に記憶する
ことを特徴とする請求項３に記載の受信装置。
【請求項５】
受信した前記番組情報の基となるデータはＤＶＢ規格のＥＩＴ情報におけるevent＿id、start＿time、及びduraitionを有するデータであり、
当該受信装置は、前記出力部にて前記印刷用の番組データを出力したとき、出力したその印刷用の番組データに関する前記データを記憶する記憶部をさらに備え、
受信した前記番組情報の基となるデータの中にevent＿idが同一で、かつstart＿time、またはduraitionが異なるevent＿idが複数あるときには、
前記録画予約情報を当該受信装置固有であり同一event＿id間で異なる情報とし、
そして、前記出力部にて前記印刷用の番組データを出力したとき、出力した前記印刷用の番組データに関するＤＶＢ規格のＥＩＴ情報におけるevent＿id、start＿time、及びduraitionと当該受信装置固有の前記情報とを前記記憶部にて記憶することを特徴とする請求項２に記載の受信装置。
【請求項６】
前記印刷用の番組データは、印刷出力される時刻以降の時間帯の番組情報または印刷出力される時刻における番組以降の番組枠の番組情報が含まれた印刷データである
ことを特徴とする請求項１から請求項３いずれか一項に記載の受信装置。
【請求項７】
当該受信装置固有の前記情報は、当該受信装置を操作するリモコンが有するカラーボタンを利用した情報である
ことを特徴とする請求項２に記載の受信装置。
【請求項８】
前記印刷用の番組データは、前記番組情報の基となるデータまたはその印刷用の番組データが作成された時刻がわかる情報を有する
ことを特徴とする請求項１から請求項７のいずれかに記載の受信装置。
【請求項９】
前記番組情報の基となるデータはサービスインフォメーション（ＳＩ）またはＤＶＢ規格のＥＩＴ情報である
ことを特徴とする請求項１から請求項８のいずれかに記載の受信装置。
【請求項１０】
前記命令受信部で受信する前記信号は、当該受信装置を操作するリモコンから発信される信号であり、前記リモコンが有する特定のボタンに対する押し方により複数の種類の信号として発信される信号のうちの一のものである
ことを特徴とする請求項１記載の受信装置。
【請求項１１】
特定の前記ボタンは、前記表示部が前記表示用の番組データを表示しているときには無効とされる信号が発信されるボタンである
ことを特徴とする請求項１０に記載の受信装置。
【請求項１２】
請求項１記載の受信装置と、
受信した前記録画予約命令における前記録画予約情報に基づいて録画予約の設定をする設定部と、
を備えることを特徴とする録画装置。
【請求項１３】
録画予約の前記設定がされる番組情報は、前記番組情報の基となるデータを定期的に受信する前記受信装置から取得する
ことを特徴とする請求項１２に記載の録画装置。
【請求項１４】
前記録画予約命令は、前記番組情報の基となるデータを定期的に受信する前記受信装置から出力された前記印刷用の番組データにおける前記録画予約情報で示されている命令である
ことを特徴とする請求項１２に記載の録画装置。
【請求項１５】
表示装置、プリンタ装置及び録画装置に接続され、放送を受信する受信装置での録画予約方法であって、
番組情報の基となるデータを受信する受信ステップと、
前記データから、前記番組情報を、前記録画装置にて録画される対象の番組を特定する録画予約情報であり前記表示装置には表示されないものを有したものにして、前記プリンタ装置に印刷をさせる印刷データである印刷用の番組データを作成する作成ステップと、
前記データから前記表示装置上に表示がされる表示用の番組データを作成する第２の作成ステップと、
前記表示装置上に少なくとも前記表示用の番組データを表示する表示ステップと、
前記表示装置上に表示がされているか否かを検出する検出ステップと、
視聴者の操作によって発せられた信号を受信する命令受信ステップと、
前記印刷用の番組データを前記プリンタ装置へ出力する出力ステップと、
を含み、
前記命令受信ステップにて受信した前記信号と前記検出ステップにて検出した、表示がされているか否かとによって前記出力ステップでの前記印刷用の番組データの出力を制御し、
そして、前記出力ステップにて出力された前記印刷用の番組データに基づいて印刷がされた前記録画予約情報で示された録画予約命令を表わした前記信号を前記命令受信ステップにて受信して、前記録画装置に録画予約を行わせることを特徴とする録画予約方法。
【請求項１６】
前記受信ステップにおいて、番組情報の基となる前記データを定期的に受信し、
前記録画予約情報は、定期的に受信した前記データから作成されたＧコード、定期的に受信した前記データから得られたＤＶＢ規格のＥＩＴ情報におけるevent＿id、定期的に受信した前記データが有する録画予約専用情報、または定期的に受信した前記データから作成された受信装置固有の情報である
ことを特徴とする請求項１５に記載の録画予約方法。
【請求項１７】
前記出力ステップにて前記印刷用の番組データを出力したとき、出力したその印刷用の番組データに関する前記データを記憶するステップをさらに含み、
前記印刷用の番組データを出力後、新たに受信した前記番組情報の基となるデータと前記記憶部に記憶されているデータとを比較してそれらが異なる場合には、あらためて、前記作成ステップにて新たに受信した前記番組情報の基となるデータから前記印刷用の番組データを作成し、かつ前記出力ステップにてこの印刷用の番組データを出力する
ことを特徴とする請求項１５または請求項１６に記載の録画予約方法。
【請求項１８】
受信した前記番組情報の基となるデータはＤＶＢ規格のＥＩＴ情報におけるevent＿id、start＿time、及びduraitionを有するデータであり、
当該録画予約方法は、前記出力ステップにて前記印刷用の番組データを出力したとき、出力したその印刷用の番組データに関するデータを記憶する記憶ステップをさらに含み、
受信した前記番組情報の基となるデータの中にevent＿idが同一で、かつstart＿time、またはduraitionが異なるevent＿idが複数あるときには、
前記録画予約情報を当該受信装置固有であり同一event＿id間で異なる情報とし、
そして、前記出力ステップにて前記印刷用の番組データを出力したとき、出力した前記印刷用の番組データに関するＤＶＢ規格のＥＩＴ情報におけるevent＿id、start＿time、及びduraitionと当該受信装置固有の前記情報とを前記記憶ステップにて記憶する
ことを特徴とする請求項１５に記載の録画予約方法。
【請求項１９】
前記番組情報の基となるデータはデジタル放送受信装置において受信する
ことを特徴とする請求項１５から請求項１８のいずれかに記載の録画予約方法。
【発明の詳細な説明】
【０００１】
【発明の属する技術分野】
本発明は、印刷物として番組表を得ることができる受信装置に関するものである。
【０００２】
【従来の技術】
放送局から放送される番組の放送予定は、新聞、雑誌などの紙媒体の番組表を参照して知ることができた。これに対して、最近電子番組案内（ＥＰＧ）が普及してきている。これは、テレビ、パソコンなどの画面上に番組表、番組案内情報などを表示し、視聴者が番組を選択するのを助けるサービスである。
【０００３】
例えば、放送受信装置は、番組データを入力し、入力した番組データからＥＰＧを作成する。ＥＰＧとは、横軸にチャンネルをとり縦軸に時刻をとり、横軸と縦軸で指定される番組欄であって、放送される番組に対応する番組表である。
【０００４】
この番組表を画面に表示し、さらに表示された番組表上にカーソルが併せて表示される。そして、リモートコントローラ（リモコン）を操作することでカーソルを移動させ、番組表上の番組の名称が表示された枠に録画予約の命令を与えることで接続されたＶＴＲ等の録画装置への録画を行うことができる。
【０００５】
【発明が解決しようとする課題】
しかし、ＥＰＧを利用した番組の録画を行う場合、ディスプレイなどの表示装置の電源が入っていなければ、予約することができないという問題があった。
【０００６】
そこで、本発明はディスプレイなどの表示装置の電源が入っていなくても録画予約を可能にすることを目的とする。
【０００７】
【課題を解決するための手段】
そしてこの目的を達成するために、表示装置、プリンタ装置及び録画装置に接続され、放送を受信する本発明に係る受信装置は、番組情報の基となるデータを受信する受信部と、前記データから、前記番組情報を、前記録画装置にて録画される対象の番組を特定する録画予約情報であり前記表示装置には表示されないものを有したものにして、前記プリンタ装置に印刷をさせる印刷データである印刷用の番組データを作成する作成部と、前記データから前記表示装置上に表示がされる表示用の番組データを作成する第２の作成部と、前記表示装置上に少なくとも前記表示用の番組データを表示する表示部と、前記表示装置上に表示がされているか否かを検出する検出部と、視聴者の操作によって発せられた信号を受信する命令受信部と、前記印刷用の番組データを前記プリンタ装置へ出力する出力部とを備え、前記命令受信部にて受信した前記信号と前記検出部にて検出した、前記表示装置上に表示がされているか否かとによって前記出力部による前記印刷用の番組データの出力を制御し、そして、前記出力部にて出力された前記印刷用の番組データに基づいて印刷がされた前記録画予約情報で示された録画予約命令を表わした前記信号を前記命令受信部にて受信して、前記録画装置に録画予約を行わせる。これにより、表示装置に表示がされているか否かによって視聴者の操作によって発せられた信号の解釈を変えることができ、かつ録画予約情報による対応をとることができる。
【０００８】
また、本発明に係る受信装置は、番組情報の基となるデータを受信する受信部と、前記データから、前記番組情報を、前記録画装置にて録画される対象の番組を特定する録画予約情報であり前記表示装置には表示されないものが含まれたものにして、前記プリンタ装置に印刷をさせる印刷データである印刷用の番組データを作成する作成部と、前記データから前記表示装置上に表示がされる表示用の番組データを作成する第２の作成部と、前記表示装置上に少なくとも前記表示用の番組データを表示する表示部と、前記表示装置上に表示がされているか否かを検出する検出部と、視聴者の操作によって発せられた信号を受信する命令受信部と、前記印刷用の番組データを前記プリンタ装置へ出力する出力部とを備え、前記命令受信部にて受信した前記信号と前記検出部にて検出した、前記表示装置上に表示がされているか否かとによって前記出力部による前記印刷用の番組データの出力を制御し、そして、前記出力部にて出力された前記印刷用の番組データに基づいて印刷がされた前記録画予約情報で示された録画予約命令を表わした前記信号を前記命令受信部にて受信して、前記録画装置に録画予約を行わせる。そしてここで、前記受信部は番組情報の基となる前記データを定期的に受信し、前記録画予約情報は、定期的に受信した前記データから作成されたＧコード、定期的に受信した前記データから得られたＤＶＢ規格のＥＩＴ情報におけるevent＿id、定期的に受信した前記データが有する録画予約専用情報、または定期的に受信した前記データから作成された受信装置固有の情報である。これにより、新しい録画予約情報を得ることができる。
【０００９】
また、本発明に係る受信装置は、番組情報の基となるデータを受信する受信部と、前記データから、前記番組情報を、前記録画装置にて録画される対象の番組を特定する録画予約情報であり前記表示装置には表示されないものが含まれたものにして、前記プリンタ装置に印刷をさせる印刷データである印刷用の番組データを作成する作成部と、前記データから前記表示装置上に表示がされる表示用の番組データを作成する第２の作成部と、前記表示装置上に少なくとも前記表示用の番組データを表示する表示部と、前記表示装置上に表示がされているか否かを検出する検出部と、視聴者の操作によって発せられた信号を受信する命令受信部と、前記印刷用の番組データを前記プリンタ装置へ出力する出力部と、前記出力部にて前記印刷用の番組データが出力されたとき、出力したその印刷用の番組データに関する前記データを記憶する記憶部とを備え、前記命令受信部にて受信した前記信号と前記検出部にて検出した、前記表示装置上に表示がされているか否かとによって前記出力部による前記印刷用の番組データの出力を制御し、そして、前記出力部にて出力された前記印刷用の番組データに基づいて印刷がされた前記録画予約情報で示された録画予約命令を表わした前記信号を前記命令受信部にて受信して、前記録画装置に録画予約を行わせる。ここで、前記印刷用の番組データを出力後、新たに受信した前記番組情報の基となるデータと前記記憶部に記憶されているデータとを比較してそれらが異なる場合には、あらためて、前記作成部にて新たに受信した前記番組情報の基となるデータから前記印刷用の番組データを作成し、かつ前記出力部にてこの印刷用の番組データを出力する。これにより、番組の変更の有無を確認できる。
【００１０】
また、本発明に係る受信装置は、番組情報の基となるデータを受信する受信部と、前記データから、前記番組情報を、前記録画装置にて録画される対象の番組を特定する録画予約情報であり前記表示装置には表示されないものが含まれたものにして、前記プリンタ装置に印刷をさせる印刷データである印刷用の番組データを作成する作成部と、前記データから前記表示装置上に表示がされる表示用の番組データを作成する第２の作成部と、前記表示装置上に少なくとも前記表示用の番組データを表示する表示部と、前記表示装置上に表示がされているか否かを検出する検出部と、視聴者の操作によって発せられた信号を受信する命令受信部と、前記印刷用の番組データを前記プリンタ装置へ出力する出力部と、前記出力部にて前記印刷用の番組データを出力したとき、出力したその印刷用の番組データに関する前記データを記憶する記憶部とを備え、前記命令受信部にて受信した前記信号と前記検出部にて検出した、前記表示装置上に表示がされているか否かとによって前記出力部による前記印刷用の番組データの出力を制御し、そして、前記出力部にて出力された前記印刷用の番組データに基づいて印刷がされた前記録画予約情報で示された録画予約命令を表わした前記信号を前記命令受信部にて受信して、前記録画装置に録画予約を行わせる。ここで、前記印刷用の番組データを出力後、新たに受信した前記番組情報の基となるデータと前記記憶部に記憶されているデータとを比較してそれらが異なる場合には、あらためて、前記作成部にて新たに受信した前記番組情報の基となるデータから前記印刷用の番組データを作成し、かつ前記出力部にてこの印刷用の番組データを出力する。そして、新たに受信する前に出力した前記印刷用の番組データと新たに受信した前記印刷用の番組データとで異なる場合には、それらの部分に関して、新たに受信した前記番組情報の基となるデータから作成した前記印刷用の番組データにおける録画予約情報は、新たに受信する前に出力した録画予約情報とは異なる録画予約情報であり、新たに受信した前記番組情報の基となるデータから作成した印刷用の番組データを出力後、あらためて、この番組情報の基となるデータを前記記憶部に記憶する。これにより、異なる番組で重複しない録画予約情報を付与することができる。
【００１１】
また、本発明に係る受信装置は、番組情報の基となるデータを受信する受信部と、前記データから、前記番組情報を、前記録画装置にて録画される対象の番組を特定する録画予約情報であり前記表示装置には表示されないものを有したものにして、前記プリンタ装置に印刷をさせる印刷データである印刷用の番組データを作成する作成部と、視聴者の操作によって発せられた信号を受信する命令受信部と、前記データから前記表示装置上に表示がされる表示用の番組データを作成する第２の作成部と、前記表示装置上に少なくとも前記表示用の番組データを表示する表示部と、前記表示装置上に表示がされているか否かを検出する検出部とを備える。そして、前記命令受信部にて受信した前記信号と前記検出部にて検出した、前記表示装置上に表示がされているか否かとによって前記出力部による前記印刷用の番組データの出力を制御し、そして、前記出力部にて出力された前記印刷用の番組データに基づいて印刷がされた前記録画予約情報で示された録画予約命令を表わした前記信号を前記命令受信部にて受信して、前記録画装置に録画予約を行わせる。これにより、画面へのデータの表示の有無によって受信装置を操作する信号の解釈を変えることができる。
【００１２】
【発明の実施の形態】
以下、本発明の実施の形態について図面を用いて説明する。
【００１３】
（実施の形態１）
実施の形態１ではＧコード等を有する印刷用の番組データを出力し、これを参照して録画することで、録画時にＴＶ２の電源がＯＦＦでも録画作業が可能な方法について図１〜図１０を用いて説明する。
【００１４】
図１は、本発明の実施の形態１に係る印刷システムの構成を示す機能ブロック図である。この印刷システムは、印刷物としての番組表を作成することができるシステムであり、アンテナ１、ＴＶ２、リモコン３、プリンタ装置４、デジタル放送受信装置５から構成される。
【００１５】
アンテナ１は、デジタル放送用のパラボラアンテナ等である。ＴＶ２は、デジタル放送受信装置５からの映像信号を表示するテレビジョン受像機等である。リモコン３は、デジタル放送受信装置５及びＴＶ２に対する一般的な操作をするためのボタンだけでなく、デジタル放送受信装置５に対する印刷指示を発する専用ボタンを備えていてもよい。リモコン３からの印刷命令や、表示画面の切り替え命令は、命令受信部１７で受信され、受信後、デジタル方送受信装置５において、印刷処理や表示画面切り替えを実行する。
【００１６】
プリンタ装置４は、デジタル放送受信装置５から送られてくる印刷データを蓄積するとともに、蓄積した印刷データを解読し、ラスタライズするプリンタコントローラ１３と、ラスタライズによって得られたイメージデータを用紙１５に印刷出力するプリンタエンジン１４等から構成される。
【００１７】
デジタル放送受信装置５は、アンテナ１からの信号に対する受信・選局処理をし、映像信号をＴＶ２に送出するとともに、視聴者からの印刷指示が発せられた時点で、番組表に関するデータを印刷データとしてプリンタ装置４に出力する機能を有するセットトップボックス（ＳＴＢ）等のデジタル放送受信装置であり、放送受信部６、信号分離部７、ＥＰＧ処理部８、ＳＩ（サービスインフォメーション；番組配列情報）を保管するＳＩ保管部９、映像Ｉ／Ｆ部１０、印刷制御部１１、プリンタＩ／Ｆ部１２から構成される。
ＳＩとは、番組の放送に先だって放送者が視聴者に提供する番組情報であり、コンテンツ（番組）ごとの番組ＩＤ、放送時、タイトル、出演者、チャンネル等の集まりである。
【００１８】
放送受信部６は、チューナや復調器等である。信号分離部７は、放送受信部６から送られてくる受信データをデコードし、エレメンタリストリームや制御情報等に分離するＴＳ（トランスポートストリーム）デコーダ等であり、ＳＩをＳＩ保管部９に出力する。
【００１９】
ＥＰＧ処理部８は、ＳＩ保管部９に保持されたＳＩを用いて、表示用の番組表を作成し、映像Ｉ／Ｆ部１０に出力する処理部である。
【００２０】
ＳＩ保管部９は、信号分離部７から送られてくるＳＩを記憶するとともに、印刷制御部１１からの指示に基づいて、記憶しているＳＩを印刷制御部１１に出力する。
【００２１】
映像Ｉ／Ｆ部１０は、ＥＰＧ処理部８から送られてくる表示用の番組表に関するデータを受け取り、ＴＶ２に出力する信号処理部である。
【００２２】
印刷制御部１１は、リモコン３による印刷指示を受信すると、ＳＩ保管部９から得たＳＩを用いて、印刷用の番組表を作成し、プリンタＩ／Ｆ部１２に出力する印刷制御部である。
【００２３】
図２はテレビに表示されるＥＰＧ画面を示す図である。図２に示すように２００２年３月１６日、１４時３８分現在、ＴＶ２のデータ表示エリア１６には番組表の一部が表示され、リモコンによって見たい、または録画したい番組を選択し、番組を見たり、番組の録画をしたりすることができる。ここで、見えている番組表に、見たい、または録画したい番組が見当たらなければ、番組表をめくり（スクロールまたは移動）、目的となる番組を探さなければならない。テレビの画面上では画面サイズが限られているため、一度に見ることが出来る番組表が番組表全体の一部に限られてしまうためである。
【００２４】
しかし、この電子番組表を見ている時点でＥＰＧの印刷をし、紙等の媒体に印刷すれば、一目で番組表をみることができ、録画作業を容易にすることができる。また、一度モニタの電源をＯＦＦにしてしまうと、再度モニタの電源をＯＮにしないと番組を見たり、録画をしたりすることができないが、上記のようにＥＰＧの印刷をすれば、画面の電源がＯＦＦの場合にでも録画作業をすることができる。
【００２５】
さらに、電子番組案内は番組変更があっても、定期的に更新されるため、新聞や雑誌に掲載されている番組予定と違い、正確な情報を得ることができる。
【００２６】
ここで、印刷される番組表について図３の印刷結果を示す例と図５の印刷処理の流れ図を用いて詳細に説明する。現在時刻が１４時３８分の時点で印刷されようとしたとき、リモコン３からの印刷命令を命令受信部１７が受信し、１４時から１７時までの番組表がＳＩ保管部９に記憶されているＳＩを用いて印刷制御部７において印刷用の番組データが作成され、プリンタＩ／Ｆ部１２からプリンタ装置４に出力され、印刷用紙１５に印刷される（図５）。印刷する番組表は、例えば、１４時から１５時、１５時から１６時、というように１４時以降の時間帯、つまり現在の時刻を基準に１時間で区切った時間帯のデータで作成すればよい。放送には蓄積型と、現行の地上波放送のような非蓄積型の形態があるが、非蓄積型の放送の場合は特に、既に放送予定からして終わってしまった番組の録画をすることはありえないため、現在時刻を基準にするとよい。なお、蓄積型の放送のＳＩを取得して、番組表を印刷物として得ることも可能である。
【００２７】
また、上記のように、印刷する番組表を時間帯で設定する以外に番組枠で設定してもよい。現在時刻が１４時３８分の時点で放送している番組枠、つまり図３を用いて説明すると、Ｃｈ２で１４時３０分から始まっている「クローズアッ．．．」やＣｈ４で１４時００分から始まっている「ドラマ天使の○○○」が入るように印刷データを作成するといい。番組の録画は番組枠ごとにするのが通常だからである。なお、上記の蓄積型の放送に関する番組表を作成する場合で、１番組枠が２４時間等、長時間の場合は現在時刻から２時間まで戻って印刷データを作成し、１番組枠の全部が入らないときは、その番組枠の一部、例えば番組タイトル、サブタイトル、主演者のみを表示すればいい。１枚の紙に含められる番組の数には限度があり、一目でみることができる利点が薄れるためである。
【００２８】
また、印刷する番組表としては必要な時間帯以外に必要な局を設定できるようにすれば、ユーザ毎に必要な番組表を作成することができ、便利になる。例えば図３に示すように、Ｃｈ２、Ｃｈ４、Ｃｈ６、Ｃｈ８、Ｃｈ１０から構成される番組表を得ることができる。さらに、同日のものだけでなく、現在日から１週間分のユーザオリジナルの番組表を作成することも可能である。また、上記のＣｈが常に見ている番組であれば、これらの設定を保存しておけば、再度設定しなおす必要がなくなる。このようにするとＥＰＧのカスタマイズが可能となる。利用者毎に設定を、例えば図６に示すデジタル方送受信装置５のユーザ設定保持部１９に保存しておけば、保存した設定に基づいて、必要な情報だけを、まとまった状態でいつでも簡単に引き出すことができ便利である。ユーザ設定保持部１９はデータを記憶することができるメモリやハードディスク等の記憶媒体からなる。
【００２９】
図４は、印刷設定画面を示す図である。また、図７、図８は番組表の印刷結果を示す図である。上記時間帯、局の設定は図４（ａ）に示す画面をＴＶ２のデータ表示エリア１６に表示し、ユーザの選択により可能とすればよい。図３の番組表を得るためには、図４（ａ）の局選択において、直接選択をし、図４（ｂ）で示す画面においてＣｈ２、Ｃｈ４、Ｃｈ６、Ｃｈ８、Ｃｈ１０を指定し、さらに、時間帯選択で現在時間帯から４時間を選択すればよい。時間帯についてさらに細かく指定したければ、図４（ａ）で直接選択を指定し、図４（ｃ）に示す画面で時間帯指定をすればよい。また、図４（ｄ）に示す画面において、繰り返し印刷できる設定ができるようにしてもよい。さらに、図１７に示すようにユーザ毎に設定名を決め、繰り返し印刷できるようにしてもよい。このときのユーザ「父」「兄」毎の設定情報はユーザ設定保持部１９に保存され、複数ユーザで共通して使用できるようにしてもよい。なお、「ユーザ指示画面は、印刷設定画面を示す図４や印刷予約の設定を示す図１６、図１７に示すものに限られない。
【００３０】
さらに、印刷用の番組表に含ませるデータに録画予約情報、例えばＧコードを入れることにより、番組の録画作業が容易になる。通常、ＥＰＧは、モニタの電源がＯＮの状態でＥＰＧが表示されているときに番組選択や録画予約ができるように考えられており、Ｇコード等の録画予約情報をあえて必要としないため、ＥＰＧにはＧコード等の録画予約情報を表示していない。
【００３１】
ここで、画面に見えているものを印刷するのが普通であるが、ここで付加しようとしているＧコードは画面に見えていない情報（データ）であり、この見えていないデータを画面に見えている情報に付加して印刷する。ここではＧコードを付加することを説明したが、バーコード等の光学的に読取り可能な情報を付加しても構わない。Ｇコードは、新聞社、雑誌社がテレビの放送予定にあわせて作成しているコードであるが、デジタル放送受信装置５固有の録画予約情報をＧコードに代えて使用しても構わない。Ｇコードは広く共通して使えなければ不便であるが、本実施の形態１のようにデジタル方送受信装置５で印刷物として番組表を作成する場合は、その印刷物としての番組表は、印刷するための基となるデータを保持していたデジタル放送受信装置５に対して用いるものであろうから、特に広く共通化した録画予約情報を印刷物としての番組表に付加して印刷する必要はない。なお、デジタル放送受信装置５固有の録画予約情報はメーカー毎に決めても構わないし、機種毎に決めても構わない。
【００３２】
図７は、番組表の印刷結果とリモコンのボタン配置例を示す図である。機種毎に決めた録画予約情報としては、図７（ｂ）のリモコン３０についている色ボタンと数字を組み合わせ、例えば図７（ａ）のＣｈ２の１６時から始まる「ニュース○○」において図７（ｂ）のリモコン３０の「赤ボタン」と「３３」を指定するようにし、最大８桁のＧコードに比べてボタンを押す回数を減らせるようにするとよい。色ボタンを複数組み合わせても構わない。Ｇコードは新聞等、１色印刷の媒体に記されることもあり、判別するために数字が便利であるが、最近の印刷装置は多くがカラー印刷可能であるので、デジタル放送受信装置５固有の録画予約情報は色表現を含めて決めるとよい。もちろん、録画予約情報は数字のみでも構わない。
【００３３】
図９は、デジタル放送受信装置が保持するユーザ設定情報を示す図で、図８はこれに対応した番組表の印刷結果を示す図である。さらに、印刷したときに付加したデジタル放送受信装置５固有の録画予約情報と番組の対応としては、図６のユーザ設定保持部１９に図９に示すようなデータを記憶し、図８に示すような印刷した番組表に対して特別の録画予約情報を持たすようにし、さらに録画予約情報を簡略させてもいい。なお、この図９に示す録画予約情報は、重複しないように設定するようにしなければならない。または、現在時刻以降の番組で録画予約が有効な番組に関して、重複しないように設定するようにしなければならない。同じ録画予約情報で複数の番組が対応すると、システム的に問題が起きるためである。また、その録画予約情報の設定のとき、図６で示す時刻保持部１８から得られる現在時刻より録画予約が無効な場合、たとえば、時刻保持部１８で１５：３０という現在時刻が得られ、印刷された番組表が図８に示すものであるとき、１４時代の番組、具体的には録画予約情報が１，２，１１，１４のものは、既に番組が終了しており無効なため、この録画予約情報は再利用しても構わない。また、例えば１５：３０時点で録画予約情報が２のものを予約しようとしたユーザに対して、番組が終了していて録画予約が無効であることを通知するために、録画予約情報が２のものを保持するか、再利用しないようにしてもよい。再利用しない場合、再利用しない期間として番組情報の基となるデータの大きさ、例えば１週間分なら、１週間再利用しないように設定してもよい。具体的に説明すると、図８に示す番組表が１４時３８分に印刷され、図１９に示す番組データがユーザ設定保持部に保存された後、更新されている番組情報の基となるデータを１５時００分に新たに受信したときには、印刷する番組表に記す１７時以降の録画予約情報は図２０のデジタル放送受信装置が保持するユーザ設定情報を示す図のように重複しないように決める。
【００３４】
さらに、図９に示すようなデータをユーザ設定保持部１９に保持することによって、番組の変更があったときにユーザに通知することが可能になる。
【００３５】
図１４、図１５を用いて具体的に説明する。図１４は、本実施の形態におけるＥＩＴを示す図である。図１５は、本実施の形態１におけるＥＩＴの更新に対する処理を示す図である。まず、図１４に示すevent＿idとstart＿timeとdurationから構成されるＤＶＢ規格のＥＩＴ（Event Information Table）によるデータを、印刷したときに（Ｓ１０）ＥＩＴをユーザ設定保持部１９に保持し（Ｓ１１）、新たなＥＩＴを受信して（Ｓ１２）、ユーザ設定保持部１９に保持されているデータと異なる場合に（Ｓ１３）、自動的に印刷をする（Ｓ１４）ことによって、番組の変更をユーザに通知することが可能である。異なるかどうかはevent＿id毎にstart＿timeとdurationとについて比較すれば良い。なお、このように変更があった場合、自動的に印刷をせず、ＴＶ２への表示やスピーカからの音声による通知にしてもよいし、ユーザの設定により更新通知をしないようにしてもよい。複数ユーザが図４に示す画面によってユーザ毎にオリジナルの設定を保存している場合、図１６の印刷予約設定を示す図のような画面により通知してもよい。そして、更新印刷「可」のボタンを押すことによって、随時印刷するようにしてもよい。更新状況において示す時刻は更新のあるデータを受信した時刻でも更新が確認された時刻でもよい。なお、ユーザ設定保持部１９に保持するデータはＥＩＴに限られず、データの新旧が比較できる形式であればよい。また、印刷命令があったときで、前回の印刷とデータが変わらないとき、変更がない旨の通知のみをするようにしても構わない。
【００３６】
ここで、Ｇコードの作成方法について説明する。Gコードの作成方法には、二進数分散暗号化の手法、ナップザック詰め込み手法、サイファーブロック演算の手法などがある。本実施の形態では二進数分散暗号化の手法について説明する。仮に３つの数字、１０，２０，１００があると仮定し、３つの数字をそれぞれ二進法に変換する。１０を二進法に変換すると０１１０、２０を二進法に変換すると１０１００、１００を二進法に変換すると１１１１０となり、この３つの二進法の数字を並べると１１０１０１００１１１１０となるが、これを１０進法で読み直すと６８１４になる。即ち１０、２０、１００と言う３つの要素数字を単純に並べると７桁になるが、分散圧縮すると６８１４で４桁になる。Ｇコードでは、日付（ａ）とガイドチャンネル（ｂ）および録画開始時刻、録画時間を圧縮した（ｃ）3つの数字ａ，ｂ，ｃを並べる。そして各々数字を１，０の2進数で表現する。ａは最大３１の日付けであり、二進法では５ビットになり、ｂは最大で９９チャンネルの録画チャンネルとすると、二進法では７ビット必要となり、ｃは録画開始時刻、録画時間を圧縮した２２６４４までの数字となるため二進法では１５ビットになる。このようにして出来た二進数の１，０並び２７ビットを数表に従って各ビットを並べ直し、の２７ビットを１０進法で読み直す。色ボタンと数字を組み合わせる場合には、色ボタンの数例えば４個と数字ボタンの数１０個との全部で１４個のボタンに対して対応づけする必要が出るため、上記のように二進法から１０進法に読みなおすのではなく、１４進法で読みなおし、ボタンとの対応をとるようにすればよい。
【００３７】
また、Ｇコードは、日付、ガイドチャンネル、録画開始時刻、録画時間から作成できるため、図８に示す録画予約情報はＥＩＴのevent＿idを用いてもよい。または、ＥＩＴを拡張し、図１８の録画予約専用情報を示す図に記載したような録画予約専用情報record＿idを放送局から予め送るようにしてもよい。この録画予約専用情報 recored id は、録画開始時刻や録画時間を基に放送局側で予め作成されたＧコードを用いてもよい。これによれば、デジタル放送受信装置５におけるＧコードを生成する処理負担をなくすことができる。
【００３８】
上記のevent＿idを用いるときで、番組変更がある場合は、以下のようにすればよい。図２５は、図８に示す番組表に対応したユーザ設定保持部１９に保存されているデータを示す図である。図２４は、図８に示す番組表に対して番組変更を反映した番組表を示す図である。図２５は、図２４に示す番組表に対応したユーザ設定保持部１９に保存されているデータを示す図である。図２５に示すoriginal＿idとは図８に示されている録画予約情報である。図８に示す番組表を出力した後、図２４の番組表に示すのようにＣｈ４の１６：００以降の番組の変更があったとき、図２６に示すように番組の変更のあったevent＿idに対応するoriginal＿idを変更し、ユーザには図２４に示す番組表を印刷物として出力し、番組変更前の図８に示す録画予約情報９や１０を用いた録画予約をユーザがしようとしたとき、録画できないようにするとよい。なお、図２４、図２６ではevent＿idとは全く同一ではないoriginal＿idを用いたが、印刷する番組データの中でevent＿idが重複しないときは図２４に示す録画予約情報はevent＿idと同一のものでもよい。
【００３９】
次に、event＿idが重複する場合について図２７、図２８を用いて説明する。図２７は、番組表の印刷結果を示す図である。図２８は、図２７に示す番組表に対応したユーザ設定保持部１９に保存されているデータを示す図である。図２７に示すように同一放送局の同一時間枠に放送されるニュースやドラマ等に対して、図２８示すように同一のevent＿idが振られる場合、ユーザが区別をつけて録画予約することは難しいし、誤予約をする可能性がでる。そこで、図２８に示すように、同一放送局の同一時間枠に放送されるニュースやドラマに対して異なるoriginal＿idを振ることで、ユーザの利便性を保つことができる。上記original＿idをもとにユーザから録画予約の入力がされると、入力されたoriginal＿idに対応するevent＿id、start＿time、durationをもとに、デジタル放送受信装置５において録画予約の設定をすることが可能になる。また、番組延長などの放送時間に関する変更があっても、event＿idが変わらない限りユーザから入力されるoriginal＿idに対応させて録画予約の設定を行えばよい。なお、このような番組放送時間などの変更があったときは、ユーザに録画受付完了とともにユーザに変更があった旨を通知するようにしてもよい。
【００４０】
さらに、図３０の番組表の印刷結果に示すように同一放送局で同一時間枠で放送されるニュースやドラマ等に同一のevent＿idが、図３１のユーザ設定保持部１９におけるデータ例のように振られる場合、日または週にまたがって連続する番組の録画を１つの録画予約情報で予約できるように、番組個別の録画予約情報と、定期的な番組を連続して予約することができる録画予約情報とを番組表に表示するようにしてもよい。図３０では、番組個別の録画予約情報と定期的な番組の録画予約情報とを「／」で並べて表示しているが、上下に並べたり、数字等の情報だけでなく数字等の横に個別か連続かを示す情報を含めて表示してもよい。この図３１に示すevent＿idと定期的な番組の録画予約情報であるcontinual＿idとは同一としているが、対応がとれるようにすれば、この形式でなくてもよい。なお、定期的な番組ではない場合は、番組表には個別の録画予約情報だけ表示する。これにより、Gコード等では各番組１つづつでしか録画予約できないところ、定期的な番組を１つの録画予約情報で録画予約することができ、ユーザの録画予約を簡略にすることができる。
【００４１】
このように、ＴＶ２の電源がＯＦＦの状態では、録画に関する操作をすることができなかったが、Ｇコードやバーコード及び録画予約情報を付加することによって、このような問題がなくなる。
【００４２】
さらに、印刷するときに、いつのデータを基に作成したかを示す情報を、図３の右下に示すように、ヘッダやフッタのような形態で付加しても構わない。この情報の基は、印刷した時刻でも、基データを受信した時刻でも、基データが作成された時刻（データ更新時刻）でも構わない。印刷した時刻であれば、図６に示す時刻保持部１８から時刻を取得すればよい。また、デジタルテレビ放送においてトランスポートストリームに多重されているＴＤＴ（Time Date Table）から時刻を取得してもよい。これにより、番組表の新旧の見分けをつけることが可能となる。
【００４３】
（実施の形態２）
実施の形態１ではＧコード等を有する印刷用の番組データを出力し、これを参照して録画することで、録画時にＴＶ２の電源がＯＦＦでも録画作業が可能であるが、録画予約のための番組表を印刷する時にＴＶ２の電源がＯＦＦであれば、番組表を印刷することができない。そこで、実施の形態２ではＴＶ２の電源がＯＦＦのときにでも番組表を印刷することができる方法を図１１から図１３を用いて説明する。なお、図１と同一の構成については説明を省略する。
【００４４】
本実施の形態２の第１の方法として、ＴＶ２にＥＰＧが表示されているときに印刷可能であり、さらにＴＶ２に何も表示されてされていないときにも印刷可能な場合について述べる。図１１は、本実施の形態における印刷システムを示す図である。図１２は、本実施の形態２におけるリモコンを示す図である。図１３は、本実施の形態２におけるリモコン操作による処理の流れを示す図である。図１１の信号検出部２０は、ＴＶ２に映像が出力されているかどうかを検出する。検出方法は、ＴＶ２の電源の状態をモニターするようにしてもよい。例えば電源の状態がＯＦＦやスタンバイの場合はＴＶ２に映像が出力されていないと判断すればよい。図１２（ａ）に示すリモコン３１の＿のキーを押すと番組表を印刷できるものとする。リモコン３１の＿のキーが一度押され（Ｓ１）、そのときに信号検出部２０で信号が検出され（Ｓ３）、キーが短押（例えば、１回短く押すだけ）の場合、番組表の印刷処理を開始する（Ｓ６）。ここで、キーが短押でなければ（例えば長押）の場合は、キーの押下を無効とする（Ｓ５）。また、リモコン３１の＿のキーが一度押され（Ｓ１）、そのときに信号検出部２０で信号が検出されず（Ｓ３）、キーが長押（例えば、１つのボタンを２秒以上押す）の場合、番組表の印刷処理を開始する（Ｓ６）。ここで、キーが長押でなければ（例えば短押）の場合は、キーの押下を無効とする（Ｓ５）。ボタンとしては＿のボタンで説明したが、これに限られず、番組表が表示されているときに使用されないボタン（押下されても無効なボタン）を代用するようにすれば良い。
【００４５】
本実施の形態２の第２の方法として、番組表が表示されているときに使用されるボタンであっても、そのボタンの押し方によってボタンが押下されることによるリモコンから発信される信号が、番組表が表示されているときに押下されることによって発信される信号と異なるようにしてもよい。例えば、ＴＶ２の電源がＯＮで番組表が表示されているときにチャンネル１のボタンが押されると、チャンネル１の番組が表示されることになるが、チャンネル１のボタンを、通常のチャンネル選択時のボタン押下と異なって長押であれば番組表の印刷の命令として処理し、ＴＶ２の電源がＯＦＦのときに、番組表が表示されているときのチャンネル１を表示するために押す押し方と同じ押し方でボタン押下がなされたときに、番組表が印刷されるようにしてもよい。通常、ＴＶ２が表示されていないときにＴＶ２に対して操作が必要にならないが、上記のように、ＴＶ２がＯＮの時に使用するリモコン３１のボタンに、ＴＶ２に何も表示されていないときに有効な別の機能を割り当てると、デジタル放送受信装置５の機能が増加しても、リモコン３１のボタンを増加させたり、リモコン３１を大きくしたりする必要がなくなる。
【００４６】
上記では、ＴＶ２がＯＮで番組表が表示されているときと、ＴＶ２がＯＦＦの場合について述べたが、次に、本実施形態２の第３の方法としてＴＶ２がＯＮで番組表が表示されていないときにリモコン３１を使用しても無効になるボタンに印刷が可能な機能を割り当て、またはＴＶ２がＯＮで番組表が表示されていないときにリモコン３１の押し方によって別の機能を付加することで印刷が可能な機能をボタンに割り当て、番組を見ているときに番組表の印刷ができる方法について述べる。図１２（ｂ）に示すように、通常画面に映像が表示されているときに使っているボタンを、図２２（ａ）に示すように映像が表示されているときには長押で、つまり通常の使い方とは違う押し方で、映像が表示されていないときに短押で、ボタンの押下を有効とすることにより、番組表の印刷に用いる新たなボタンを設ける必要がなくなり、リモコンの数を増やすことなく設計が可能になる。なお、映像が表示されているときも、表示されていないときも長押にすることによって、ボタンの押下を有効にしても構わない。つまり、図２２（ｂ）に示すように、チャンネル１のボタンを通常のチャンネル１の選択時と異なる押し方をすれば、ＴＶ２の電源のＯＮ・ＯＦＦにかかわらず、番組表が印刷されるようにしてもよい。長押は、１つのボタンを所定時間押すことにより有効にしても、連続して押す（ダブルクリック）ことにより有効にしてもよい。または、長押の代わりに、通常のボタンの動作と区別をつけるために、複数のボタンを同時に押すようにして、ボタンの押下を有効にするようにしてもよい。
【００４７】
なお、使用するボタンとしては使っていないボタンをＥＰＧに割り当ててもよい。例えば、図２３の本実施の形態におけるボタンの設定を示す図のような画面を表示し、ある特定地域で７ｃｈが使えないときに、７ｃｈを選択するためのボタンをＥＰＧ印刷のためのボタンと設定できるようにしてもよい。ただし、この場合はユーザによる設定が必要となる。
なお、操作するためにデジタル放送受信装置５とは別のリモコン３１やリモコン３２を用いたがこれに限られず、デジタル放送受信装置５に備わっている操作パネルで操作してもよい。
【００４８】
上記説明した電子番組案内や印刷用の番組データは定期的に受信するＳＩから作成する。ＳＩには全局ＳＩと各局ＳＩがあり、全局ＳＩによりが図２に示される番組表がＴＶ２のデータ表示エリア１６に表示される。各局ＳＩの情報は、番組を選択すれば、例えば、図２のＣｈ２の１４時３０分からの「クローズアッ．．．」（反転部分）を選択すれば、表示される。全局ＳＩが情報量に制限があり、必要最小限の情報の記述にとどめられている一方、各局ＳＩは、各放送事業者によって、運用するサービスに関する情報を、自らが運用可能な帯域内において送られるものである。よって、全局ＳＩに各局ＳＩを補足した上で、印刷用の番組データを作成すれば、一目で各局ＳＩの情報もみることができるようになる。
【００４９】
なお、上記実施例においては放送データを受信する場合について説明したが、ＡＤＳＬや光ケーブル等を経由した通信データを受信する場合でも構わない。番組表は数日分まとまった番組表データとして受信しても、上記実施例のＳＩのように番組表を生成することができるデータから印刷用の番組データを作成してもどちらでも構わない。また、印刷命令にともない、ＳＩ情報など番組作成に必要なデータだけをＳＴＢからプリンタへ送信し、印刷用の番組データをプリンタが作成しても構わない。また、印刷用の番組データは、プリンタ用の制御言語で記述されたデータであっても、Ｘ−ＨＴＭＬプリント形式等のマークアップ言語で記述されたデータであっても構わない。
【００５０】
印刷用の番組データの作成は上記方法に限らない。例えば、図１０に示すように、ＥＰＧデコーダ部７０によって、放送受信部６から送られてくる受信データに多重されているＥＰＧ情報を分離し、さらに復調されたＥＰＧ情報を番組情報メモリ９０に記憶し、ＴＶ２のデータ表示エリア１６に表示するために、番組表表示処理部８２で番組情報メモリ９０に記憶されたＥＰＧ情報を処理する一方、番組情報メモリ９０に記憶されたＥＰＧ情報を用いて印刷制御部１１で印刷用の番組データを作成し、プリンタＩ／Ｆ部１２に出力するようにしても構わない。
【００５１】
（実施の形態３）
上記実施の形態１、２ではデジタル放送受信装置５において録画予約できる例を示した。本実施の形態３ではデジタル放送受信装置５に接続している録画装置で、上記デジタル放送受信装置５が受信したデータに基づいて印刷した番組表を用いて録画予約する方法について図２９、図２１を用いて説明する。図２９は、本実施の形態３におけるシステムを示す図である。図２１は、本実施の形態３における録画処理の流れを示す図である。  録画装置３３は、リモコン３Ｒから入力される命令を受信する操作入力部１７Ｒ、操作入力部１７Ｒからの指示に従って録画予約情報を設定し、保持する予約設定部３５、予約設定時間になると映像Ｉ／Ｆ１０からの映像信号を受信する映像信号受信部１０Ｒ、映像信号受信部１０Ｒが受信した信号を記録する録画部３４から構成される。
【００５２】
番組表が印刷されて（Ｓ２０）、その印刷した番組表に関するデータがユーザ設定保持部１８に保存されているものとする（Ｓ２１）。出力された番組表が図８のものとして、Ｃｈ６の１６：００から始まる「ミッション・トー・マー」を録画予約する場合（Ｓ２２）、ユーザは録画予約情報である１３をリモコン３Ｒを用いて入力する。入力されると、入力された録画予約情報「１３」に該当する番組があるかどうかをデジタル放送受信装置５に問い合わせる（Ｓ２３）。具体的にはユーザ設定保持部１８に録画予約情報「１３」に該当する番組があるかどうかを確認する。この場合、録画予約情報「１３」に該当する番組があるため、ユーザ設定保持部に保存されている録画予約情報「１３」に対応する録画予約に必要な情報、例えばstart＿time、durationをユーザ設定保持部１８から受信し（Ｓ２４）、予約設定部３５において予約設定を行う（Ｓ２５）。受信するデータは必要に応じて放送局の情報等を受信しても良い。Ｓ２３において該当する番組が無ければ予約ができない旨を通知する。通知方法としては、録画装置が有する表示部に表示するか、または、音声出力部を備え、ここからエラー音を出力しても良い。なお、ユーザ設定保持部１８に保存されている情報から、時間の経過と共に番組変更が生じて、データに変更がある場合に対応するため、ユーザ設定保持部１９に保存されているデータを用いて確認した後、または、確認せずに、デジタル放送受信装置５が受信して保持している番組情報の基となるデータを用いて確認してもよい。デジタル放送受信装置５はＥＰＧを表示するため常に番組情報の基となるデータを保持しているため、随時確認することが可能である。
【００５３】
さらに、録画予約完了後、録画予約開始前に番組変更がある場合に対応するために、録画予約開始前に再度デジタル放送受信装置５に確認してもよい。ここで特別番組が優先されて希望している番組がなくなっているような場合は、録画予約を消去してもよい。なお、この通知をするために、録画装置３３から音声で通知する以外に、登録したＥ−ｍａｉｌアドレス等へ図示省略の通信手段等を介して通知するようにしてもよい。
【００５４】
なお、上記デジタル放送受信装置５が受信したデータに基づいて印刷した番組表を用いて録画予約しなくても、印刷物としてevent＿idを録画予約情報として記載した番組表が配布されていれば、この配布物を用いても本実施の形態３で示した方法を用いて録画予約することは可能である。また、録画装置３３は外部接続してもデジタル放送受信装置５に内蔵していてもどちらでも構わない。
【００５５】
【発明の効果】
このように本発明により、ディスプレイなどの表示装置の電源が入っていなくても録画予約が可能となる。
【図面の簡単な説明】
【図１】本実施の形態における印刷システムを示す図
【図２】テレビに表示されるＥＰＧの画面を示す図
【図３】番組表の印刷結果を示す図
【図４】印刷設定画面を示す図
【図５】印刷フローを示す図
【図６】本実施の形態における印刷システムを示す図
【図７】番組表の印刷結果とリモコンの配置例を示す図
【図８】番組表の印刷結果を示す図
【図９】デジタル方送受信装置が保持するユーザ設定情報を示す図
【図１０】本実施の形態における印刷システムを示す図
【図１１】本実施の形態２における印刷システムを示す図
【図１２】本実施の形態２におけるリモコンを示す図
【図１３】本実施の形態２におけるリモコン操作による処理の流れを示す図
【図１４】本実施の形態におけるＥＩＴを示す図
【図１５】本実施の形態１におけるＥＩＴの更新に対する処理の流れを示す図
【図１６】印刷予約の設定を示す図
【図１７】印刷予約の設定を示す図
【図１８】録画予約専用情報を示す図
【図１９】デジタル方送受信装置が保持するユーザ設定情報を示す図
【図２０】デジタル方送受信装置が保持するユーザ設定情報を示す図
【図２１】本実施の形態３における録画処理の流れを示す図
【図２２】本実施の形態２における信号検出とボタンの押下とによる動作を示す図
【図２３】本実施の形態２におけるボタンの設定を示す図
【図２４】番組表の印刷結果を示す図
【図２５】デジタル方送受信装置が保持するユーザ設定情報を示す図
【図２６】デジタル方送受信装置が保持するユーザ設定情報を示す図
【図２７】番組表の印刷結果を示す図
【図２８】デジタル方送受信装置が保持するユーザ設定情報を示す図
【図２９】本実施の形態３におけるシステムを示す図
【図３０】番組表の印刷結果を示す図
【図３１】デジタル方送受信装置が保持するユーザ設定情報を示す図
【符号の説明】
１  アンテナ
２  ＴＶ
３  リモコン
４  プリンタ装置
５  デジタル方送受信装置
６  放送受信部
７  信号分離部
８  ＥＰＧ処理部
９  ＳＩ保管部
１０  映像Ｉ／Ｆ部
１１  印刷制御部
１２  プリンタＩ／Ｆ部
１３  プリンタコントローラ部
１４  プリンタエンジン部
１５  印刷用紙
１６  データ表示エリア
１７  命令受信部
【図１】
0004186505.tif 000002
【図２】
0004186505.tif 000003
【図３】
0004186505.tif 000004
【図４】
0004186505.tif 000005
【図５】
0004186505.tif 000006
【図６】
0004186505.tif 000007
【図７】
0004186505.tif 000008
【図８】
0004186505.tif 000009
【図９】
0004186505.tif 000010
【図１０】
0004186505.tif 000011
【図１１】
0004186505.tif 000012
【図１２】
0004186505.tif 000013
【図１３】
0004186505.tif 000014
【図１４】
0004186505.tif 000015
【図１５】
0004186505.tif 000016
【図１６】
0004186505.tif 000017
【図１７】
0004186505.tif 000018
【図１８】
0004186505.tif 000019
【図１９】
0004186505.tif 000020
【図２０】
0004186505.tif 000021
【図２１】
0004186505.tif 000022
【図２２】
0004186505.tif 000023
【図２３】
0004186505.tif 000024
【図２４】
0004186505.tif 000025
【図２５】
0004186505.tif 000026
【図２６】
0004186505.tif 000027
【図２７】
0004186505.tif 000028
【図２８】
0004186505.tif 000029
【図２９】
0004186505.tif 000030
【図３０】
0004186505.tif 000031
【図３１】
0004186505.tif 000032